(57)【要約】【課題】ＭＩＭＯ伝送において複数のアンテナ間の上りリファレンス信号の直交を実現することができる移動端末装置、無線基地局装置および通信制御方法を提供すること。【解決手段】ＺＣ系列を用いて復調用リファレンス信号を生成するリファレンス信号生成部１１と、復調用リファレンス信号を複数のアンテナポート１９毎にサイクリックシフトさせて、複数のアンテナポート１９に対応した復調用リファレンス信号を複数のアンテナポート１９間で直交するサイクリックシフト部１３とを備え、サイクリックシフトされた複数の復調用リファレンス信号を、対応する複数のアンテナポート１９を介して無線基地局装置ｅＮＢに上りリンクで送信する構成とした。【選択図】図２
2011160396.tif 000002
【特許請求の範囲】
【請求項１】
開始位置をシフトさせることで直交される信号系列を用いて上りリファレンス信号を生成するリファレンス信号生成部と、
前記上りリファレンス信号を複数のアンテナポート毎にサイクリックシフトさせて、前記複数のアンテナポートに対応した前記上りリファレンス信号を前記複数のアンテナポート間で直交するサイクリックシフト部と、
サイクリックシフトされた前記複数の上りリファレンス信号を、対応する前記複数のアンテナポートを介して無線基地局装置に上りリンクで送信する送信部とを備えたことを特徴とする移動端末装置。
【請求項２】
前記サイクリックシフト部は、基準となるアンテナポートに対するサイクリックシフト値と、前記複数のアンテナポートのそれぞれに対して等間隔に割り当てられるサイクリックシフト値の差分値とを前記無線基地局装置から取得し、基準となる前記サイクリックシフト値および前記差分値に基づいてサイクリックシフトすることを特徴とする請求項１に記載の移動端末装置。
【請求項３】
前記サイクリックシフト部は、前記複数のアンテナポートに対するサイクリックシフト値の複数の割当パターンのうち、前記無線基地局装置から取得したパターン情報に示された割当パターンに基づいてサイクリックシフトすることを特徴とする請求項１に記載の移動端末装置。
【請求項４】
前記サイクリックシフト部は、予め設定された前記複数のアンテナポートに対するサイクリックシフト値の割当パターンに基づいてサイクリックシフトすることを特徴とする請求項１に記載の移動端末装置。
【請求項５】
周波数単位を構成する複数の周波数エレメントを一定の規則で複数のユーザに割り当てる割当情報を前記無線基地局装置から取得し、前記割当情報に基づく前記周波数エレメントの割当により、前記上りリファレンス信号を前記複数のユーザ間で直交する割当部を備えたことを特徴とする請求項１から請求項４のいずれかに記載の移動端末装置。
【請求項６】
前記割当情報は、前記周波数単位で多重されるユーザ多重数および一定の規則における割当順序を示す順序情報であることを特徴とする請求項５に記載の移動端末装置。
【請求項７】
前記割当部は、前記ユーザ多重数を上位レイヤで取得し、前記順序情報を下位レイヤで取得することを特徴とする請求項６に記載の移動端末装置。
【請求項８】
前記割当情報は、前記周波数単位で多重されるユーザ多重数であり、
前記割当部は、前記ユーザ多重数および前記無線基地局装置から取得したサイクリックシフト値に対応した一定の規則における割当順序に基づいて前記周波数エレメントを割り当てることを特徴とする請求項５に記載の移動端末装置。
【請求項９】
複数のユーザ間で直交するように前記上りリファレンス信号を拡散する拡散コードを前記無線基地局装置から取得し、前記拡散コードに基づく前記上りリファレンス信号の拡散により、前記上りリファレンス信号を前記複数のユーザ間で直交する拡散部を備えたことを特徴とする請求項１から請求項８のいずれかに記載の移動端末装置。
【請求項１０】
前記サイクリックシフト部は、複数のユーザ間で直交するように前記上りのリファレンス信号を拡散する拡散コードを前記無線基地局装置から取得し、前記拡散コードに応じて異なる前記複数のアンテナポートに対するサイクリックシフト値の割当パターンに基づいてサイクリックシフトすることを特徴とする請求項１に記載の移動端末装置。
【請求項１１】
前記サイクリックシフト部は、基準となるアンテナポートに対するサイクリックシフト値と、複数のユーザ間で直交するように前記上りのリファレンス信号を拡散する拡散コードとを前記無線基地局装置から取得し、前記拡散コードに基づいて前記複数のアンテナポート毎に、前記複数のアンテナポートに対するサイクリックシフト値の割当パターンを選択し、当該割当パターンにおいて前記基準となるアンテナポートのサイクリックシフト値を基準として前記複数のアンテナポートに対して割り当てられるサイクリックシフト値に基づいてサイクリックシフトすることを特徴とする請求項１に記載の移動端末装置。
【請求項１２】
前記サイクリックシフト部は、前記拡散コードに基づいて前記複数のアンテナポート毎に、前記複数のアンテナポートに対するサイクリックシフト値の割当パターンを選択すると共に、当該割当パターンにおいて前記基準となるアンテナポートのサイクリックシフト値を基準として、前記複数のアンテナポートに対してサイクリックシフト値を割り当てる複数の設定条件のうち、前記無線基地局から取得した設定選択情報に示された設定条件、前記基準となるアンテナポートに対するサイクリックシフト値、前記拡散コードに基づいてサイクリックシフトすることを特徴とする請求項１１に記載の移動端末装置。
【請求項１３】
拡散コードを用いた前記上りリファレンス信号の拡散により、前記上りリファレンス信号を前記複数のユーザ間で直交化させる拡散部を備え、
前記サイクリックシフト部は、前記無線基地局装置からサイクリックシフト値を取得し、前記サイクリックシフト値に基づいてサイクリックシフトし、
前記拡散部は、前記無線基地局装置から取得されたサイクリックシフト値に対応づけられた拡散コードを用いて前記リファレンス信号を拡散することを特徴とする請求項１に記載の移動端末装置。
【請求項１４】
開始位置をシフトさせることで直交される信号系列を用いて生成された上りリファレンス信号を、移動端末装置の複数のアンテナポート毎にサイクリックシフトさせて、前記複数のアンテナポートに対応した前記上りリファレンス信号を前記複数のアンテナポート間で直交させるサイクリックシフト情報を生成するサイクリックシフト情報生成部と、
前記サイクリックシフト情報を前記移動端末装置に下りリンクで送信する送信部とを備えたことを特徴とする無線基地局装置。
【請求項１５】
前記サイクリックシフト情報は、前記移動端末装置の基準となるアンテナポートに対するサイクリックシフト値および前記複数のアンテナポートのそれぞれに対して等間隔に割り当てられるサイクリックシフト値の差分値であることを特徴とする請求項１４に記載の無線基地局装置。
【請求項１６】
前記サイクリックシフト情報は、前記移動端末装置の前記複数のアンテナポートに対するサイクリックシフト値の複数の割当パターンのうち一の割当パターンを示すパターン情報であることを特徴とする請求項１４に記載の無線基地局装置。
【請求項１７】
周波数単位を構成する複数の周波数エレメントを一定の規則で複数のユーザに割り当てることにより前記上りリファレンス信号を前記複数のユーザ間で直交させる割当情報を生成する割当情報生成部を備え、
前記送信部は、前記割当情報を前記移動端末装置に下りリンクで送信することを特徴とする請求項１４から請求項１６のいずれかに記載の無線基地局装置。
【請求項１８】
前記割当情報は、前記周波数単位で多重されるユーザ多重数および一定の規則における割当順序を示す順序情報であることを特徴とする請求項１７に記載の無線基地局装置。
【請求項１９】
前記送信部は、前記ユーザ多重数を上位レイヤで送信し、前記順序情報を下位レイヤで送信することを特徴とする請求項１８に記載の無線基地局装置。
【請求項２０】
複数のユーザ間で直交するように前記上りリファレンス信号を拡散させて、前記上りリファレンス信号を前記複数のユーザ間で直交させる拡散コードを生成する拡散コード生成部を備え、
前記送信部は、前記拡散コードを前記移動端末装置に下りリンクで送信することを特徴とする請求項１４から請求項１９のいずれかに記載の無線基地局装置。
【請求項２１】
前記サイクリックシフト情報は、複数のユーザ間で直交するように前記上りリファレンス信号を拡散させて、前記上りリファレンス信号を前記複数のユーザ間で直交させる拡散コードに応じて選択され、異なる前記複数のアンテナポートに対するサイクリックシフト値の割当パターンであることを特徴とする請求項１４に記載の無線基地局装置。
【請求項２２】
前記サイクリックシフト情報は、複数のユーザ間で直交するように前記上りのリファレンス信号を拡散させると共に、前記複数のアンテナポート毎に前記複数のアンテナポートに対するサイクリックシフト値の割当パターンを選択させる拡散コード、および当該割当パターンにおいて前記移動端末装置の複数のアンテナポートに対するサイクリックシフト値の割当の基準となるアンテナポートに対するサイクリックシフト値であることを特徴とする請求項１４に記載の無線基地局装置。
【請求項２３】
前記サイクリックシフト情報は、前記拡散コードに基づいて前記移動端末装置の複数のアンテナポート毎に、前記複数のアンテナポートに対するサイクリックシフト値の割当パターンを選択すると共に、当該割当パターンにおいて前記基準となるアンテナポートのサイクリックシフト値を基準として、前記複数のアンテナポートに対してサイクリックシフト値を割り当てる複数の設定条件のうち一の設定条件を示す設定選択情報、前記拡散コード、前記基準となるアンテナポートに対するサイクリックシフト値であることを特徴とする請求項２２に記載の無線基地局装置。
【請求項２４】
前記サイクリックシフト情報は、前記移動端末装置の複数のアンテナポート毎にサイクリックシフトさせるサイクリックシフト値であって、前記サイクリックシフト値は、複数のユーザ間で直交するように前記上りリファレンス信号を拡散する拡散コードに対応づけられていることを特徴とする請求項１４に記載の無線基地局装置。
【請求項２５】
移動端末装置が、開始位置をシフトさせることで直交される信号系列を用いて上りリファレンス信号を生成するステップと、
前記上りリファレンス信号系列を複数のアンテナポート毎にサイクリックシフトさせて、前記複数のアンテナポートに対応した前記上りリファレンス信号を前記複数のアンテナポート間で直交するステップと、
サイクリックシフトされた前記複数の上りリファレンス信号系列を、対応する前記複数のアンテナポートを介して無線基地局装置に上りリンクで送信するステップとを有することを特徴とする通信制御方法。
【請求項２６】
移動端末装置が、周波数単位を構成する複数の周波数エレメントを一定の規則で複数のユーザに割り当てる割当情報を前記無線基地局装置から取得し、前記割当情報に基づく前記周波数エレメントの割当により、前記上りリファレンス信号を前記複数のユーザ間で直交するステップを有することを特徴とする請求項２５に記載の通信制御方法。
【請求項２７】
移動端末装置が、複数のユーザ間で直交するように前記上りリファレンス信号を拡散する拡散コードを前記無線基地局から取得し、前記拡散コードに基づく前記上りリファレンス信号の拡散により、前記上りリファレンス信号を複数のユーザ間で直交するステップを有することを特徴とする請求項２５または請求項２６に記載の通信制御方法。
【発明の詳細な説明】
【技術分野】
【０００１】
本発明は、上りリンクで復調用リファレンス信号（RS:  Reference  Signal）を送信する移動端末装置、無線基地局装置および通信制御方法に関する。
【背景技術】
【０００２】
ＬＴＥ(Long  Term  Evolution)システムでは、移動端末装置からＰＵＳＣＨ(Physical  Uplink  Shared  Channel)やＰＵＣＣＨ(Physical  Uplink  Control  Channel)で上りデータ信号および上り制御信号が無線基地局に送信される。ＰＵＳＣＨやＰＵＣＣＨで送信される上りデータ信号および上り制御信号には、復調用のリファレンス信号が多重されており、この上りリファレンス信号は無線基地局において同期検波のためのチャネル推定に用いられている。
【０００３】
この場合、複数の移動端末装置間では、上りのリファレンス信号の信号系列として、共通のＺＣ系列（Zadoff-Chu  Sequence）が用いられており、移動端末装置毎にサイクリックシフト（Cyclic  Shift）が行われる。サイクリックシフトでは、所定の系列の最後部を先頭に付け替えてシフトさせることで異なる系列を生成し、これを繰り返すことで複数の異なる系列が生成される。そして、移動端末装置毎に、ＺＣ系列を固有のサイクリックシフトさせることで、複数の移動端末装置からのリファレンス信号が直交される。
【先行技術文献】
【非特許文献】
【０００４】
【非特許文献１】3GPP, TS 36.211, “Evolved Universal Terrestrial Radio Access(E-UTRA); Physical Channels and Modulation”
【発明の概要】
【発明が解決しようとする課題】
【０００５】
ところで、ＬＴＥシステムにおいては、伝送速度の高速化を実現するため、複数のアンテナを使用したＭＩＭＯ(Multiple  Input  Multiple  Output)伝送が用いられている。このＭＩＭＯ伝送では、各送信アンテナから異なる情報を、同一周波数で、同一タイミングで送信することにより、伝送速度を向上させている。しかしながら、ＭＩＭＯ伝送では、複数のアンテナ間におけるリファレンス信号の直交が課題として残っている。
【０００６】
本発明は、かかる点に鑑みてなされたものであり、ＭＩＭＯ伝送において複数のアンテナ間の上りリファレンス信号の直交を実現することができる移動端末装置、無線基地局装置および通信制御方法を提供することを目的とする。
【課題を解決するための手段】
【０００７】
本発明の移動端末装置は、開始位置をシフトさせることで直交される信号系列を用いて上りリファレンス信号を生成するリファレンス信号生成部と、前記上りリファレンス信号を複数のアンテナポート毎にサイクリックシフトさせて、前記複数のアンテナポートに対応した前記上りリファレンス信号を前記複数のアンテナポート間で直交するサイクリックシフト部と、サイクリックシフトされた前記複数の上りリファレンス信号を、対応する前記複数のアンテナポートを介して無線基地局装置に上りリンクで送信する送信部とを備えたことを特徴とする。
【０００８】
この構成によれば、リファレンス信号が開始位置のシフトにより直交される信号系列であるため、複数のアンテナポート毎にサイクリックシフトさせることにより、複数のアンテナポート間の上りリファレンス信号を直交させて無線基地局装置に多重伝送することができる。
【発明の効果】
【０００９】
本発明によれば、ＭＩＭＯ伝送において移動端末装置の複数のアンテナ間の上りリファレンス信号の直交を実現することができる。
【図面の簡単な説明】
【００１０】
【図１】本発明の実施の形態を示す図であり、通信システムにおける上り復調用リファレンス信号の送信制御の概要の説明図である。
【図２】本発明の実施の形態を示す図であり、移動端末装置の機能ブロック図である。
【図３】本発明の実施の形態を示す図であり、サイクリックシフト値とサイクリックシフトの開始位置とを関連付けたテーブルの一例を示す図である。
【図４】本発明の実施の形態を示す図であり、サイクリックシフトの一例を示す図である。
【図５】本発明の実施の形態を示す図であり、ディストリビューテッドＦＤＭＡの一例を示す図である。
【図６】本発明の実施の形態を示す図であり、ブロックスプレッディングの一例を示す図である。
【図７】本発明の実施の形態を示す図であり、無線基地局装置の機能ブロック図である。
【図８】本発明の実施の形態を示す図であり、サイクリックシフト値とサイクリックシフトの開始位置とを関連付けたテーブルの他の一例を示す図である。
【図９】本発明の実施の形態を示す図であり、移動端末装置の通信制御処理を示すフローチャートである。
【図１０】本発明の実施の形態を示す図であり、直交コードによりサイクリックシフト値の割当パターンを選択する一例を示す図である。
【図１１】本発明の実施の形態を示す図であり、移動端末装置に設定されたサイクリックシフト値の割当パターンおよび設定条件の一例を示す図である。
【図１２】本発明の実施の形態を示す図であり、移動端末装置に設定されたサイクリックシフト値の割当パターンおよび設定条件の他の一例を示す図である。
【図１３】本発明の実施の形態を示す図であり、サイクリックシフト値、サイクリックシフトの開始位置、および直交コードを関連付けたテーブルの一例を示す図である。
【発明を実施するための形態】
【００１１】
以下、本発明の実施の形態について添付図面を参照して詳細に説明する。なお、本実施の形態においては、復調用リファレンス信号（DM  RS:  Demodulation  Reference  Signal）の直交化について説明するが、復調用リファレンス信号に限定されるものではなく、上りリンクで複数のアンテナポート間および複数のユーザ間で直交多重させる信号であればよく、例えば、ＣＱＩ測定用リファレンスシグナル（Sounding  Reference  Signal）であってもよい。図１は、本発明の実施の形態における通信システムにおける上り復調用リファレンス信号の送信制御の概要の説明図である。
【００１２】
図１に示す通信システムにおいて、複数の移動端末装置Ｕ１、Ｕ２、Ｕ３、Ｕ４は、それぞれ複数のアンテナを有しており、セルＣ１をカバーする無線基地局装置ｅＮＢ１およびセルＣ２をカバーする無線基地局装置ｅＮＢ２と通信可能に構成されている。上りリンクでは、移動端末装置Ｕ１、Ｕ２、Ｕ３、Ｕ４から無線基地局装置ｅＮＢ１、ｅＮＢ２に上り用の通信チャネルで上りデータ信号および上り制御信号が送信される。
【００１３】
上り用の通信チャネルで送信される上りデータ信号および上り制御信号には、復調用リファレンス信号が時間多重されている。無線基地局装置ｅＮＢ１、ｅＮＢ２は、受信した復調用リファレンス信号に基づいてチャネル推定を行い、上りの通信チャネルを同期検波する。この場合、復調用リファレンス信号は、信号系列として同一セル内で共通のＺＣ系列が用いられている。ＺＣ系列は、周波数帯域で一定振幅であり同期点以外の自己相関が０となり、信号系列の開始位置をシフトさせることで直交されるものである。この通信システムでは、ＺＣ系列の復調用リファレンス信号がアンテナポート毎にサイクリックシフトされることで、各移動端末装置Ｕ１、Ｕ２、Ｕ３、Ｕ４のそれぞれのアンテナ間で復調用リファレンス信号が直交されている。
【００１４】
ところで、ＺＣ系列は、複数ユーザ間で在圏セルや送信帯域が一致していないと、共通のＺＣ系列を使用することができない。したがって、各移動端末装置のアンテナポート毎にサイクリックシフトさせただけでは、移動端末装置Ｕ１、Ｕ２のように在圏セルが異なる場合や、移動端末装置Ｕ３、Ｕ４のように送信帯域が異なる場合には、複数のユーザ間で復調用リファレンス信号の直交化を図ることができない。
【００１５】
特に、ＬＴＥの後継のシステムであるＬＴＥアドバンスト（LTE-A）では、ＳＵ−ＭＩＭＯ（Single-User  Multiple-Input  Multiple-Output）、ＭＵ−ＭＩＭＯ（Multi-User  Multi-Input  Multi-Output）やＣｏＭＰ等の導入が検討されており、１ユーザの複数のアンテナ間の直交だけでなく、多ユーザ間の直交が望まれている。そこで、このシステムにおいては、サイクリックシフトに加え、ディストリビューテッドＦＤＭＡ（Distributed  Frequency  Division  Multiple  Access）やブロックスプレッディング（Block  Spreading）を用いて、複数のユーザ間で復調用リファレンス信号を直交多重している。
【００１６】
なお、本実施の形態においては、上りの復調用リファレンス信号の信号系列としてＺＣ系列を例に挙げて説明するが、この信号系列に限定されるものではない。信号系列の開始位置をシフトさせることにより、復調用リファレンス信号の直交化させることが可能であれば、どのような信号系列であってもよい。
【００１７】
以下、図２から図８を参照して、移動端末装置および無線基地局装置の機能構成について詳細に説明する。最初に、図２を参照して移動端末装置の機能構成について説明する。図２は、本発明の実施の形態に係る移動端末装置の機能ブロック図である。なお、本実施の形態に係る移動端末装置は複数の送信系を備えるが、図２においては、説明の便宜上、一つの送信系のみ具体的に図示している。
【００１８】
図２に示すように、各移動端末装置Ｕは、復調用リファレンス信号生成部１１と、各送信アンテナＡ１に対応した複数の送信系１２とを備えている。各送信系１２は、サイクリックシフト部１３と、上りデータ信号生成部１４と、ＤＦＴ（Discrete  Fourier  Transform）部１５と、多重部１６と、ＩＦＦＴ（Inverse  Fast  Fourier  Transform）部１７と、ＣＰ（Cyclic  Prefix）付加部１８とを有している。
【００１９】
復調用リファレンス信号生成部１１は、復調用リファレンス信号を生成する。復調用リファレンス信号は、上記したＺＣ系列を信号系列として生成され、無線基地局装置ｅＮＢにおいて同期検波による復調用の無線伝送路状態の測定に用いられる。復調用リファレンス信号生成部１１により生成された復調用リファレンス信号は、各アンテナポート１９に対応する送信系１２に出力される。
【００２０】
サイクリックシフト部１３は、復調用リファレンス信号生成部１１から入力された復調用リファレンス信号の信号系列を無線基地局装置ｅＮＢから通知されたサイクリックシフト値に基づいてサイクリックシフトする。サイクリックシフトは、サイクリックシフト値が示すサイクリックシフトの開始位置から最後部までを復調用リファレンス信号の信号系列の先頭に付け替えてシフトさせることで、他の送信系１２のアンテナポート１９と異なる復調用リファレンス信号の信号系列を生成する。
【００２１】
具体的には、図３に示すように、移動端末装置Ｕは、サイクリックシフト値とサイクリックシフトの開始位置とを関連付けたテーブルを有している。サイクリックシフト値は、例えば、３ビットの信号であり、計８種類のサイクリックシフトの開始位置を特定可能に構成されている。そして、サイクリックシフト部１３は、無線基地局装置ｅＮＢから通知されたサイクリックシフト値に対応するサイクリックシフトの開始位置からサイクリックシフトを開始する。
【００２２】
例えば、サイクリックシフト値が「０１０」の場合には、サイクリックシフトの開始位置が「３」であるため、図４に示すように、復調用リファレンス信号の信号系列のサイクリックシフトの開始位置「３」から最後部までが先頭部にシフトされる。同様に、他の送信系１２のアンテナポート１９においても、別のサイクリックシフト値により復調用リファレンス信号の信号系列がシフトされる。
【００２３】
このように、ＺＣ系列を信号系列とする復調用リファレンス信号がサイクリックシフトされることで、各アンテナポート１９間で復調用リファレンス信号が直交される。サイクリックシフトされた復調用リファレンス信号は、ＤＦＴ部１５に出力される。なお、無線基地局装置ｅＮＢによる移動端末装置Ｕに対するサイクリックシフト値の通知方法については後述する。
【００２４】
上りデータ信号生成部１４は、上位レイヤから渡されるデータを用いてユーザデータ等を含む上りデータ信号を生成し、上りデータ信号の誤り訂正符号の付加やサブキャリア毎に変調を行う。生成された上りデータ信号は、ＤＦＴ部１５に出力される。
【００２５】
ＤＦＴ部１５は、サイクリックシフト部１３および上りデータ信号生成部１４から入力された復調用リファレンス信号および上りデータ信号を離散フーリエ変換処理する。復調用リファレンス信号および上りデータ信号は、離散フーリエ変換処理により時間領域の信号から周波数領域の信号に変換され、多重部１６に出力される。
【００２６】
多重部１６は、上りデータ信号に復調用リファレンス信号を多重し、上り送信信号をＩＦＦＴ部１７に出力する。復調用リファレンス信号は、例えば、１サブフレームの３シンボル目と１０シンボル目に多重される（図５、図６参照）。また、多重部１６は、復調用リファレンス信号を多重する際に、ディストリビューテッドＦＤＭＡやブロックスプレッディングにより、複数のユーザ間で復調用リファレンス信号を直交化させる。
【００２７】
ディストリビューテッドＦＤＭＡでは、復調用リファレンス信号が多重されるシンボルにおいて、無線基地局装置ｅＮＢから通知された割当情報に基づいて、リソースブロックを構成するサブキャリアが一定の規則に従って複数のユーザに割り当てられる。図５に示すように、２ユーザ間で多重する場合には、シンボル内において１サブキャリアおきに復調用リファレンス信号が多重される。この場合、ユーザＡ（例えば、移動端末装置Ｕ１）には３シンボル目において偶数番目のサブキャリアが割り当てられ、ユーザＢ（例えば、移動端末装置Ｕ２）には３シンボル目において奇数番目のサブキャリアが割り当てられる。
【００２８】
このように、サブキャリアが複数のユーザ間で分配されるため、復調用リファレンス信号が複数のユーザ間で直交される。なお、図５においては、２ユーザ間でリソースブロックを分配して復調用リファレンス信号を直交化させる構成としたが、この構成に限定されるものではない。複数のユーザ間で割り当てられるサブキャリアが重ならなければよく、例えば、３ユーザ間で復調用リファレンス信号を直交化させる場合には、２サブキャリアおきに復調用リファレンス信号が多重され、各ユーザに対して一定順序でサブキャリアが割り当てられる。なお、無線基地局装置ｅＮＢによる移動端末装置Ｕに対する割当情報の通知方法については後述する。
【００２９】
また、ディストリビューテッドＦＤＭＡに代えてブロックスプレッディングにより複数のユーザ間で復調用リファレンス信号を直交化させることも可能である。ブロックスプレッディングは、復調用リファレンス信号に無線基地局装置ｅＮＢから通知された拡散コードを掛け合わせて周波数方向に拡散させている。この場合、拡散コードは直交コードであり、同一シンボルに複数のユーザの復調用リファレンス信号が多重される。
【００３０】
図６に示すように、復調用リファレンス信号を２ユーザ間で多重する場合、ユーザＡ（例えば、移動端末装置Ｕ１）のリファレンス信号には直交コード｛１、１｝が掛け合わされ、ユーザＢ（例えば、移動端末装置Ｕ２）のリファレンス信号には直交コード｛１、−１｝が掛け合わされる。このように、復調用リファレンス信号に直交コードが掛け合わされることにより、同一の周波数帯域において複数のユーザの復調用リファレンス信号の混信を防止することができる。
【００３１】
なお、図６においては、２ユーザ間で復調用リファレンス信号を直交化させる構成としたが、この構成に限定されるものではない。複数のユーザの復調用リファレンス信号が同一シンボルで直交する構成であればよく、例えば、４ユーザ間で復調用リファレンス信号を直交化させる場合には、４チップの直交コードを使用するようにする。
【００３２】
このように、多重部１６において、ディストリビューテッドＦＤＭＡやブロックスプレッディングにより、在圏セルや送信帯域が異なる複数の移動端末装置Ｕにおいて、復調用リファレンス信号を直交化させることが可能となる。
【００３３】
ＩＦＦＴ部１７は、多重部１６から入力された多重後の上り送信信号を逆高速フーリエ変換処理する。上り送信信号は、逆高速フーリエ変換処理により、周波数領域の信号から時間領域の信号に変換され、ＣＰ付加部１８に出力される。
【００３４】
ＣＰ付加部１８は、ＩＦＦＴ部１７から入力された上り送信信号にサイクリックプレフィックスを付加する。サイクリックプレフィックスが付加された上り送信信号は、送信アンテナＡ１を介して無線基地局装置ｅＮＢに向けて送信される。この場合、上り送信信号に含まれるユーザデータはＰＵＳＣＨ等で送信され、上り送信信号に含まれる制御信号はＰＵＣＣＨ等で送信される。
【００３５】
続いて図７に参照して、無線基地局装置の機能構成について説明する。図７は、本発明の実施の形態に係る無線基地局装置の機能ブロック図である。なお、本実施の形態に係る無線基地局装置は複数の受信系を備えるが、図７においては、説明の便宜上、一つの受信系のみを図示している。
【００３６】
図７に示すように、無線基地局装置ｅＮＢは、受信系として、ＣＰ除去部２１と、ＦＦＴ（Fast  Fourier  Transform）部２２と、分離部２３と、チャネル推定部２４と、復調部２５と、復号部２６とを有している。また、無線基地局装置ｅＮＢは、サイクリックシフト情報生成部３１と、割当情報生成部３２と、拡散コード生成部３３と、送信部３４とを有している。
【００３７】
ＣＰ除去部２１は、受信アンテナＡ２で受信した上り送信信号からサイクリックプレフィックスを除去する。サイクリックプレフィックスが除去された上り送信信号は、ＦＦＴ部２２に出力される。ＦＦＴ部２２は、ＣＰ除去部２１から入力されたＣＰ除去後の上り送信信号を高速フーリエ変換処理する。上り送信信号は、高速フーリエ変換処理により、時間領域の信号から周波数領域の信号に変換され、分離部２３に出力される。
【００３８】
分離部２３は、上り送信信号から復調用リファレンス信号および上りデータ信号を取り出し、上りデータ信号と復調用リファレンス信号とを分離する。このとき、復調用リファレンス信号がディストリビューテッドＦＤＭＡでユーザ多重されていた場合には、分離部２３が割当情報生成部３２から割当情報を取得して、割当情報に基づいて復調量リファレンス信号を取り出す。取り出された復調用リファレンス信号は、チャネル推定部２４に出力され、上りデータ信号は、復調部２５に出力される。
【００３９】
一方、復調用リファレンス信号がブロックスプレッディングでユーザ多重された場合には、分離部２３が拡散コード生成部３３から逆拡散コードを取得して、他ユーザと多重化された復調用リファレンス信号に逆拡散コードを掛け合わして、自分宛の復調用リファレンス信号を取り出す。取り出された復調用リファレンス信号は、チャネル推定部２４に出力され、上りデータ信号は、復調部２５に出力される。
【００４０】
チャネル推定部２４は、入力された復調用リファレンス信号に基づいてチャネル推定する。このとき、チャネル推定部２４は、サイクリックシフト情報生成部３１からサイクリックシフト値および移動端末装置ＵのＺＣ系列を取得して、サイクリックシフト値に示されるサイクリックシフトの開始位置に基づいてアンテナポート毎のシフト量を検出する。これにより、チャネル推定部２４は、アンテナポート１９毎のチャネル推定結果を取得する。
【００４１】
復調部２５は、分離部２３から入力された上りデータ信号およびチャネル推定部２４から入力されたチャネル推定結果に基づいて、上りデータ信号を復調する。復調部２５に復調された上りデータ信号は、チャネル等化や逆離散フーリエ変換（IDFT:  Inverse  Discrete  Fourier  Transform）処理等がなされた後、復号部２６に入力される。復号部２６は、上りデータ信号から誤り訂正符号の除去し、ユーザデータ等を取り出す。
【００４２】
サイクリックシフト情報生成部３１は、移動端末装置Ｕのアンテナポート１９毎にサイクリックシフト値を生成し、送信部３４を介して下りリンクで移動端末装置Ｕに通知する。サイクリックシフト値は、サイクリックシフトの開始位置を示す信号であり、アンテナポート毎に異なる値となっている。例えば、無線基地局装置ｅＮＢが、アンテナポート数が４である移動端末装置Ｕに異なるサイクリックシフト値、アンテナポート＃０のサイクリックシフト値「０００」、アンテナポート＃１のサイクリックシフト値「０１０」、アンテナポート＃２のサイクリックシフト値「１００」、アンテナポート＃３のサイクリックシフト値「１１０」を通知する。
【００４３】
これにより、図３に示すように、移動端末装置Ｕの各アンテナポート＃０、＃１、＃２、＃３のサイクリックシフトの開始位置がそれぞれ「０」、「３」、「６」、「９」に設定される。このように、サイクリックシフト情報生成部３１は、各アンテナポート１９に対して３ビットの計１２ビットのサイクリックシフト値を生成して、移動端末装置Ｕに通知することにより、４つのアンテナポート１９間において復調用リファレンス信号を直交化させることが可能となる。なお、ここでは、サイクリックシフト値を３ビットとして説明したが、この構成に限定されるものではない。サイクリックシフトの開始位置の選択数に応じて制御ビットのビット数は可変される。
【００４４】
また、サイクリックシフト情報生成部３１がアンテナポート１９毎にサイクリックシフト値を移動端末装置Ｕに通知する構成に代えて、基準となるアンテナポート１９に対するサイクリックシフト値と各アンテナポート１９に等間隔で設定されるサイクリックシフト値の差分値とを通知する構成としてもよい。この場合、サイクリックシフト情報生成部３１は、基準となるアンテナポート１９のサイクリックシフト値と各アンテナポート１９間の差分値とを生成する。
【００４５】
例えば、無線基地局装置ｅＮＢが、アンテナポート数が４である移動端末装置Ｕに、基準となるアンテナポート＃０のサイクリックシフト値「０００」の３ビット、差分値「１０」の２ビットとして計５ビットを通知する。これにより、移動端末装置Ｕの各アンテナポート１９間のサイクリックシフト値の差分値が「２」となり、図３に示すように、各アンテナポート＃０、＃１、＃２、＃３のサイクリックシフトの開始位置がそれぞれ「０」、「３」、「６」、「９」に設定される。
【００４６】
このように、基準となるサイクリックシフト値および差分値、例えば、サイクリックシフト値を３ビット、差分値を２ビットの計５ビットを移動端末装置Ｕに通知するようにしたため、アンテナポート数に比例して制御ビット数が増大することがなく、制御ビット数を削減することが可能となる。なお、ここでは、サイクリックシフト値を３ビット、差分値を２ビットとして説明したが、この構成に限定されるものではない。サイクリックシフトの開始位置の選択数や差分値の大きさに応じて制御ビットのビット数は可変される。
【００４７】
また、上記構成に代えて、移動端末装置Ｕと無線基地局装置ｅＮＢとの間にサイクリックシフト値の複数の割当パターンを予め設定しておき、無線基地局装置ｅＮＢから割当パターンの選択情報を通知するようにしてもよい。この場合、サイクリックシフト情報生成部３１は、割当パターンの選択情報を生成する。選択情報は、移動端末装置Ｕの有する複数種類の割当パターンの中から１つの割当パターンを選択するものである。
【００４８】
移動端末装置Ｕが、第１、第２の割当パターンの２種類の割当パターンを有する場合には、無線基地局装置ｅＮＢから１ビットの選択情報が移動端末装置Ｕに通知される。例えば、選択情報「０」の場合、アンテナポート＃０、＃１、＃２、＃３にサイクリックシフトの開始位置「０」、「２」、「３」、「４」を割り当てる第１の割当パターンが選択され、選択情報「１」の場合、アンテナポート＃０、＃１、＃２、＃３にサイクリックシフトの開始位置「０」、「３」、「６」、「９」を割り当てる第２の割当パターンが選択される。
【００４９】
このように、割当パターンの選択情報のみを通知するようにしたため、さらに制御ビットを削減することが可能となる。なお、ここでは、選択情報を１ビットとして説明したが、この構成に限定されるものではない。割当パターンの種類に応じて制御ビットのビット数は可変される。
【００５０】
また、割当パターンの選択情報を通知する構成に代えて、無線基地局装置ｅＮＢから通知された拡散コードに応じて割当パターン（テーブル）を選択する構成としてもよい。例えば、図１０に示すように、無線基地局装置ｅＮＢから直交コード｛１、１｝が通知された場合には、割当パターン１が選択され、直交コード｛１、−１｝が通知された場合には、割当パターン２が選択される。この場合、予め割当パターンのサイクリックシフト値と各アンテナポートとを対応させておくようにしてもよいし、無線基地局装置ｅＮＢから通知されたサイクリックシフト値に応じて対応させるようにしてもよい。この構成により、無線基地局装置ｅＮＢから移動端末装置Ｕに、直交コードとは別に選択情報が通知されることがなく、制御ビットのビット数を削減することが可能となる。
【００５１】
また、無線基地局装置ｅＮＢから通知された拡散コードに応じて割当パターンを選択する場合、無線基地局装置ｅＮＢから拡散コードと共に通知された、基準となるアンテナポートに対するサイクリックシフト値に基づいて各アンテナポート１９に対するサイクリックシフトの開始位置を設定するようにしてもよい。この場合、移動端末装置Ｕは、拡散コードに応じた数種類の割当パターンの他、拡散コードおよび基準となるサイクリックシフト値に基づいて各アンテナポート１９に対してサイクリックシフトの開始位置を設定する設定条件とを有している。
【００５２】
ここでいう設定条件とは、無線基地局装置ｅＮＢから通知された拡散コードおよび基準となるサイクリックシフト値に基づいて、各アンテナポート１９に対してサイクリックシフトの開始位置を設定する計算式を示している。すなわち、移動端末装置Ｕは、無線基地局装置ｅＮＢから拡散コードおよび基準となるサイクリックシフト値が通知されることで、設定条件に基づいて自動的に各アンテナポート１９に対するサイクリックシフトの開始位置を算出する。このように、本構成においては、無線基地局装置ｅＮＢが、上記したブロックスプレッディングに用いられる拡散コード（Block  spreading  code）と基準となるサイクリックシフト値との組み合わせを通知することで、制御ビットのビット数を削減している。
【００５３】
例えば、図１１（ａ）に示すように、移動端末装置Ｕは、無線基地局装置ｅＮＢから拡散コードとして通知される直交コード｛１、１｝、｛１、−１｝に対応して割当パターン１および割当パターン２の２種類の割当パターンを有している。なお、図１１（ａ）に示す割当パターンは、図１０に示した割当パターンを、縦方向に直交コード、横方向にサイクリックシフト値で割り当てられるリソースをそれぞれ配置して２次元表示したものである。また、図１１（ａ）において、ハッチングで示されるリソースが、各アンテナポート＃０、＃１、＃２、＃３に対して実際に割当可能なリソースを示している。各リソースは、図１０で示されるサイクリックシフトの開始位置に対応している。
【００５４】
したがって、割当パターン１は、ハッチングで示されるように、リソース「１」、「５」、「７」、「１１」以外のリソースで示されるサイクリックシフトの開始位置を各アンテナポート＃０、＃１、＃２、＃３に割当可能としている。一方、割当パターン２は、ハッチングで示されるように、割当パターン１を１つずつオフセットしてリソース「０」、「２」、「６」、「８」以外のリソースで示されるサイクリックシフトの開始位置を各アンテナポート＃０、＃１、＃２、＃３に割当可能としている。
【００５５】
また、図１１（ｂ）に示すように、移動端末装置Ｕは、アンテナポート＃０を基準として、残りのアンテナポート＃１、＃２、＃３のサイクリックシフトの開始位置を設定する設定条件を有している。アンテナポート＃１に対するサイクリックシフト値（ＣＳ１）は、基準となるアンテナポート＃０に対するサイクリックシフト値（ＣＳ０）から横方向に６リソース分をシフトして設定される。このとき、アンテナポート＃１に設定される割当パターンは、無線基地局装置ｅＮＢから通知される拡散コードに応じて選択される。
【００５６】
アンテナポート＃１では、割当パターンの選択に使用される拡散コード（ＢＳ１）として、アンテナポート＃０で割当パターンの選択に使用される拡散コード（ＢＳ０）と同様に無線基地局装置ｅＮＢから通知された拡散コードが使用される。したがって、アンテナポート＃１は、アンテナポート＃０と同一の割当パターンが設定される。なお、拡散コードは、「０」または「１」等の１ビットで通知され、例えば、「０」が直交コード｛１、１｝を示し、「１」が直交コード｛１、−１｝を示している。
【００５７】
アンテナポート＃２に対するサイクリックシフト値（ＣＳ２）は、アンテナポート＃０に対するサイクリックシフト値（ＣＳ０）から横方向に３リソース分をシフトして設定される。このとき、アンテナポート＃２では、割当パターンの選択に使用される拡散コード（ＢＳ２）として、アンテナポート＃０で割当パターンの選択に使用される拡散コード（ＢＳ０）に対して縦方向に１リソース分をシフトした拡散コードが使用される。図１１（ｂ）に示す例では、拡散コード（ＢＳ２）は、拡散コード（ＢＳ０）に対して縦方向に１リソース分をシフトすることで、コードが反転される。したがって、アンテナポート＃２は、アンテナポート＃０、＃１と異なる割当パターンが選択される。
【００５８】
アンテナポート＃３に対するサイクリックシフト値（ＣＳ３）は、アンテナポート＃０に対するサイクリックシフト値（ＣＳ０）から横方向に９リソース分をシフトして設定される。このとき、アンテナポート＃３では、割当パターンの選択に使用される拡散コード（ＢＳ３）として、アンテナポート＃０で割当パターンの選択に使用される拡散コード（ＢＳ０）に対して縦方向に１リソース分をシフトした拡散コードが使用される。したがって、アンテナポート＃３は、アンテナポート＃０、＃１と異なる割当パターンが選択される。
【００５９】
このような割当パターンと設定条件を有する移動端末装置Ｕに対して、拡散コードとして直交コード｛１、１｝を示す「０」と、基準となるサイクリックシフト値「０」を示す「０００」とが通知されると、図１１（ｃ）に示すように、各アンテナポート＃０、＃１、＃２、＃３にサイクリックシフトの開始位置が設定される。アンテナポート＃０、＃１には、直交コード｛１、１｝に対応した割当パターン１が選択され、それぞれ割当パターン１のリソース「０」、「６」が割り当てられる。アンテナポート＃２、＃３には、直交コード｛１、−１｝に対応した割当パターン２が選択され、それぞれ割当パターン２のリソース「３」、「９」が割り当てられる。したがって、アンテナポート＃０、＃１、＃２、＃３のサイクリックシフトの開始位置が「０」、「６」、「３」、「９」に設定される。
【００６０】
また、上記した割当パターンと設定条件を有する移動端末装置Ｕに対して、拡散コードとして直交コード｛１、１｝を示す「０」と、基準となるサイクリックシフト値「２」を示す「００１」とが通知されると、図１１（ｄ）に示すように、各アンテナポート＃０、＃１、＃２、＃３にサイクリックシフトの開始位置が設定される。アンテナポート＃０、＃１には、直交コード｛１、１｝に対応した割当パターン１が選択され、それぞれ割当パターン１のリソース「２」、「８」が割り当てられる。アンテナポート＃２、＃３には、直交コード｛１、−１｝に対応した割当パターン２が選択され、それぞれ割当パターン２のリソース「５」、「１１」が割り当てられる。したがって、アンテナポート＃０、＃１、＃２、＃３のサイクリックシフトの開始位置が「２」、「８」、「５」、「１１」に設定される。
【００６１】
なお、設定条件は、上記した内容に限定されるものではなく、例えば、図１２（ａ）に示すような設定条件でもよい。この設定条件では、アンテナポート＃１、＃２、＃３に対するサイクリックシフト値（ＣＳ１、ＣＳ２、ＣＳ３）は、アンテナポート＃０に対するサイクリックシフト値（ＣＳ０）から、それぞれ横方向に１リソース分、２リソース分、３リソース分をシフトして設定される。また、各アンテナポート＃０、＃１、＃２、＃３に対する割当パターンは交互に異なる割当パターンが設定される。
【００６２】
この設定条件を有する移動端末装置Ｕに対して、拡散コードとして直交コード｛１、１｝を示す「０」と、基準となるサイクリックシフト値「０」を示す「０００」とが通知されると、図１２（ｂ）に示すように、各アンテナポート＃０、＃１、＃２、＃３にサイクリックシフトの開始位置が設定される。アンテナポート＃０、＃２には、直交コード｛１、１｝に対応した割当パターン１が選択され、それぞれ割当パターン１のリソース「０」、「２」が割り当てられる。アンテナポート＃１、＃３には、直交コード｛１、−１｝に対応した割当パターン２が選択され、それぞれ割当パターン２のリソース「１」、「３」が割り当てられる。したがって、アンテナポート＃０、＃１、＃２、＃３のサイクリックシフトの開始位置が「０」、「１」、「２」、「３」に設定される。
【００６３】
このように、直交コードを１ビット、基準となるサイクリックシフト値を３ビットの計４ビットを移動端末装置Ｕに通知するようにしたため、アンテナポート数に比例して制御ビットが増大することがなく、制御ビット数を削減することが可能である。なお、ここでは、サイクリックシフト値を３ビット、直交コードを１ビットとして説明したが、この構成に限定されるものではない。サイクリックシフトの開始位置の選択数や割当パターン数に応じて制御ビットのビット数は可変される。また、この構成においても、直交コードとは別に割当パターンを選択するための選択情報が通知されることがない。
【００６４】
なお、上記した構成では、複数の割当パターンにわたってサイクリックシフトの開始位置を設定する構成としたが、単一の割当パターンでサイクリックシフトの開始位置を設定する構成としてもよい。また、割当パターンを２種類として説明したが、拡散コードのコード数に応じて、２種類以上の割当パターンを使用することが可能である。
【００６５】
また、移動端末装置Ｕは、単一の設定条件を有する構成として説明したが、この構成に限定されるものではない。移動端末装置Ｕに複数の設定条件を規定しておき、無線基地局装置ｅＮＢから設定条件の設定選択情報を通知するようにしてもよい。この場合、サイクリックシフト情報生成部３１は、設定条件の設定選択情報を生成する。設定選択情報は、複数の設定条件の中から１つの設定条件を選択するものである。
【００６６】
移動端末装置Ｕが、２種類の設定条件を有する場合には、無線基地局装置ｅＮＢから１ビットの設定選択情報が移動端末装置Ｕに通知される。例えば、設定選択情報「０」の場合、図１１（ｂ）に示す設定条件が選択され、設定選択情報「１」の場合、図１２（ａ）に示す設定条件が選択される。このように、拡散コードおよび基準となるサイクリックシフト値に加えて設定条件の設定選択情報を通知することにより、各アンテナポート＃０、＃１、＃２、＃３のサイクリックシフトの開始位置を、さらに自由に設定することが可能となる。なお、ここでは、設定選択情報を１ビットとして説明したが、この構成に限定されるものではない。設定条件の条件数に応じて制御ビットのビット数は可変される。
【００６７】
また、上記構成に代えて、予め移動端末装置Ｕに規定の割当パターンを設定する構成としてもよい。この場合、無線基地局装置ｅＮＢは、サイクリックシフト情報生成部３１を有さない。この構成により、無線基地局装置ｅＮＢから移動端末装置Ｕにサイクリックシフト値を通知することなく、移動端末装置Ｕの複数のアンテナポート１９間で復調用リファレンス信号を直交化させることが可能となる。
【００６８】
また、無線基地局装置ｅＮＢから通知されたサイクリックシフト値に基づいて各アンテナポート１９に対するサイクリックシフトの開始位置及び拡散コードを設定するようにしてもよい。この場合、移動端末装置Ｕは、図１３に示すように、サイクリックシフト値とサイクリックシフトの開始位置とを関連付けたテーブルに、さらに拡散コードを関連付けるようにする。図１３に示すテーブルでは、サイクリックシフト値「０１０」、「１１０」以外に拡散コード｛１、１｝が関連付けられ、サイクリックシフト値「０１０」、「１１０」に拡散コード｛１、−１｝が関連付けられている。
【００６９】
例えば、無線基地局装置ｅＮＢから、アンテナポート＃０のサイクリックシフト値「０００」、アンテナポート＃１のサイクリックシフト値「０１０」、アンテナポート＃２のサイクリックシフト値「１００」、アンテナポート＃３のサイクリックシフト値「１１０」が移動端末装置Ｕに通知される。これにより、移動端末装置Ｕの各アンテナポート＃０、＃１、＃２、＃３のサイクリックシフト開始位置が「０」、「３」、「６」、「９」に設定されると共に、アンテナポート＃０、＃２に拡散コード｛１、１｝、アンテナポート＃１、＃３に拡散コード｛１、−１｝が設定される。
【００７０】
これにより、無線基地局装置ｅＮＢから通知されたサイクリックシフト値に応じて、移動端末装置Ｕにおいてサイクリック開始位置と拡散コードを特定できるため、無線基地局装置ｅＮＢから移動端末装置Ｕに拡散コードを通知する必要がなく、拡散コード用の制御ビット数を削減することが可能である。なお、ここでは、サイクリックシフト値を３ビットとして説明したが、この構成に限定されるものではない。サイクリックシフトの開始位置の選択数に応じて制御ビットのビット数は可変される。
【００７１】
また、無線基地局装置ｅＮＢから通知されたサイクリックシフト値に基づいて各アンテナポート１９に対するサイクリックシフトの開始位置及び拡散コードを設定する構成は、アンテナポート１９毎にサイクリックシフト値を通知する構成に限定されるものではない。無線基地局装置ｅＮＢは、上記したような基準となるアンテナポート１９に対するサイクリックシフト値と各アンテナポート１９に等間隔で設定されるサイクリックシフト値の差分値とを通知する構成としてもよい。この場合、サイクリックシフト情報生成部３１は、基準となるアンテナポート１９のサイクリックシフト値と各アンテナポート１９間の差分値とを生成する。
【００７２】
例えば、無線基地局装置ｅＮＢが、基準となるアンテナポート＃０のサイクリックシフト値「０００」の３ビット、差分値「１０」の２ビットとして計５ビットを通知する。これにより、移動端末装置Ｕの各アンテナポート１９間のサイクリックシフト値の差分値が「２」となり、各アンテナポート＃０、＃１、＃２、＃３のサイクリックシフト開始位置が「０」、「３」、「６」、「９」に設定されると共に、アンテナポート＃０、＃２に拡散コード｛１、１｝、アンテナポート＃１、＃３に拡散コード｛１、−１｝が設定される。
【００７３】
このように、サイクリックシフトの差分値を通知することにより、さらに少ない制御ビットで、サイクリックシフトの開始位置および拡散コードを移動端末装置Ｕの各アンテナポート１９に設定することが可能である。なお、ここでは、サイクリックシフト値を３ビット、差分値を２ビットとして説明したが、この構成に限定されるものではない。サイクリックシフトの開始位置の選択数や差分値の大きさに応じて制御ビットのビット数は可変される。
【００７４】
さらに、無線基地局装置ｅＮＢは、基準となるアンテナポート１９に対するサイクリックシフト値だけを通知して、各アンテナポート１９に対するサイクリックシフトの開始位置及び拡散コードを設定する構成としてもよい。この場合、移動端末装置Ｕには、基準となるサイクリックシフト値に基づいて、各アンテナポート１９のサイクリックシフトの開始位置を算出する設定がなされている。
【００７５】
例えば、各アンテナポート１９に基準となるサイクリックシフト値との差分値が設定され、アンテナポート＃０は差分値「０」、アンテナポート＃１は差分値「２」、アンテナポート＃２は差分値「４」、アンテナポート＃３は差分値「６」がそれぞれ設定されている。そして、無線基地局装置ｅＮＢが、基準となるアンテナポート＃０のサイクリックシフト値「０００」の３ビットを通知する。これにより、移動端末装置Ｕの各アンテナポート＃０、＃１、＃２、＃３のサイクリックシフト開始位置が「０」、「３」、「６」、「９」に設定されると共に、アンテナポート＃０、＃２に拡散コード｛１、１｝、アンテナポート＃１、＃３に拡散コード｛１、−１｝が設定される。
【００７６】
このように、移動端末装置Ｕに基準となるサイクリックシフト値から各アンテナポート１９のサイクリックシフトの開始位置を算出するようにしたため、さらに少ない制御ビットで、サイクリックシフトの開始位置および拡散コードを移動端末装置Ｕの各アンテナポート１９に設定することが可能である。なお、ここでは、サイクリックシフト値を３ビットとして説明したが、この構成に限定されるものではない。サイクリックシフトの開始位置の選択数に応じて制御ビットのビット数は可変される。
【００７７】
また、移動端末装置Ｕは、サイクリックシフト値、サイクリックシフトの開始位置および拡散コードを関連付けた複数のテーブルを有する構成としてもよい。この場合、サイクリックシフト情報生成部３１は、複数のテーブルから一のテーブルを選択するテーブル選択情報を生成するようにする。移動端末装置Ｕは、無線基地局装置ｅＮＢからテーブル選択情報を受信して、テーブル選択情報が示すテーブルを用いるようにする。
【００７８】
割当情報生成部３２は、ユーザ毎に割当情報を生成し、送信部３４を介して下りリンクで各ユーザの移動端末装置Ｕに通知する。割当情報は、ディストリビューテッドＦＤＭＡによりリソースブロックを構成するサブキャリアを一定の規則に従って複数のユーザに割り当てるものであり、割当対象のユーザ数（RPF）、割当順序（Comb）を含むものである。例えば、２ユーザ間で復調用リファレンス信号を多重させる場合には、ＲＰＦを１ビット、奇数番目か偶数番目かを示すCombを１ビットの計２ビットの割当情報が各移動端末装置Ｕに通知される。
【００７９】
例えば、割当対象が１ユーザの場合、各移動端末装置Ｕにそれぞれ１シンボル目の周波数全域が割り当てられ、ユーザ間で復調用リファレンス信号が直交されない。この場合、無線基地局装置ｅＮＢからＲＰＦ「１」が１ビットで各移動端末装置Ｕに通知される。
【００８０】
一方、割当対象が２ユーザの場合、各移動端末装置Ｕにサブキャリアが交互に割り当てられ、２ユーザ間で復調用リファレンス信号が直交される。この場合、無線基地局装置ｅＮＢから一方の移動端末装置ＵにＲＰＦ「２」および偶数番目であることを示すＣｏｍｂ＃０が計２ビットで通知され、他方の移動端末装置ＵにＲＰＦ「２」および奇数番目であることを示すＣｏｍｂ＃１が計２ビットで通知される。
【００８１】
これにより、図５に示すように、ユーザＡには３シンボル目の偶数番目のサブキャリアが割り当てられ、ユーザＢには３シンボル目の奇数番目のサブキャリアが割り当てられる。このように、割当情報生成部３２は、各ユーザに対してＲＰＦとＣｏｍｂとを生成して、各ユーザの移動端末装置Ｕに通知することにより、複数ユーザ間において復調用リファレンス信号を直交化させることが可能となる。なお、ここでは、ＲＰＦを１ビットおよびＣｏｍｂを１ビットとして説明したが、この構成に限定されるものではない。ユーザ数に応じて制御ビットのビット数は可変される。
【００８２】
また、この場合、Ｃｏｍｂを下位レイヤで通知すると共に、ＲＰＦをＨｉｇｈｅｒ−ｌａｙｅｒ  Ｓｉｇｎａｌｉｎｇ等により上位レイヤで通知するようにしてもよい。
【００８３】
また、割当情報生成部３２がユーザ毎にＲＰＦおよびＣｏｍｂを移動端末装置Ｕに通知する構成に代えて、割当情報としてＲＰＦのみを移動端末装置Ｕに通知する構成としてもよい。この場合、図８に示すように、移動端末装置Ｕの有するサイクリックシフト値とサイクリックシフトの開始位置とを関連付けたテーブルに、さらにＣｏｍｂを関連付けるようにする。例えば、サイクリックシフト値「０００」から「０１１」までをＣｏｍｂ＃０と関連付け、サイクリックシフト値「１００」から「１１１」までをＣｏｍｂ＃１と関連付ける。
【００８４】
これにより、無線基地局装置ｅＮＢから通知されたサイクリックシフト値に応じて、移動端末装置Ｕにおいて割当順序を特定できるため、無線基地局装置ｅＮＢから移動端末装置ＵにＣｏｍｂ値を通知する必要がなく、割当情報の制御ビット数を削減することが可能となる。なお、ここでは、ＲＰＦを１ビットとして説明したが、この構成に限定されるものではない。ユーザ数に応じて制御ビットのビット数は可変される。
【００８５】
また、割当情報は、ＲＰＦやＣｏｍｂに限定されるものではなく、サブキャリアを重ならないように複数のユーザで分配できる構成であれば、どのような情報であってもよい。
【００８６】
拡散コード生成部３３は、ユーザ毎に拡散コードおよび逆拡散コードを生成し、送信部３４を介して拡散コードを下りリンクで各ユーザの移動端末装置Ｕに通知する。拡散コードは、いわゆる直交コードであり、ブロックスプレッディングにより同一シンボルに複数のユーザの復調用リファレンス信号を直交多重させる。例えば、２ユーザ間で復調用リファレンス信号を多重する場合には、直交コードが１ビットで各移動端末装置Ｕに通知される。
【００８７】
例えば、一方の移動端末装置Ｕに直交コード｛１、１｝が通知され、他方の移動端末装置Ｕに直交コード｛１、−１｝が通知される。これにより、図６に示すように、各移動端末装置Ｕのリファレンス信号にそれぞれ直交コードが掛け合わされ、同一の周波数帯域において複数のユーザのリファレンス信号が多重される。このように、拡散コード生成部３３は、各ユーザに対してそれぞれ直交コードを生成して、各ユーザの移動端末装置Ｕに通知することにより、複数ユーザ間において復調用リファレンス信号を直交化させることが可能となる。なお、ここでは、直交コードを１ビットとして説明したが、この構成に限定されるものではない。ユーザ数に応じて制御ビットのビット数は可変される。
【００８８】
このように構成された移動端末装置Ｕにおいては、サイクリックシフト値に応じて複数のアンテナ間で復調用リファレンス信号が直交され、割当情報または直交コードに応じて複数のユーザ間で復調用リファレンス信号が直交される。したがって、複数の移動端末装置Ｕにおいて在圏セルや送信帯域が異なり、共通のＺＣ系列を用いない場合であっても、復調用リファレンス信号を直交化させることが可能となる。
【００８９】
なお、上記した移動端末装置Ｕおよび無線基地局装置ｅＮＢの各部は、装置内に組み込まれたＣＰＵ(Central  Processing  Unit)がＲＯＭ（Read  Only  Memory）内の各種制御プログラムに従ってＲＡＭ（Random  Access  Memory）内のデータを演算し、通信インターフェース等と協働して処理を実行することにより実現される。
【００９０】
図９を参照して、移動端末装置による通信制御処理について説明する。図９は、本発明の実施の形態に係る移動端末装置の通信制御処理を示すフローチャートである。なお、移動端末装置は、初期状態において無線基地局装置からサイクリックシフト値、割当情報、拡散コードの通知がされたものとする。
【００９１】
図９に示すように、復調用リファレンス信号生成部１１において、ＺＣ系列を信号系列とする復調用リファレンス信号が生成される（ステップＳ０１）。次に、サイクリックシフト部１３において、復調用リファレンス信号がサイクリックシフト値に基づいて移動端末装置Ｕのアンテナポート毎にサイクリックシフトされる（ステップＳ０２）。このとき、移動端末装置Ｕの各アンテナポート間で復調用リファレンス信号が直交される。
【００９２】
次に、多重部１６において、復調用リファレンス信号が上りデータ信号と多重されると共に、ディストリビューテッドＦＤＭＡまたはブロックスプレッディングの処理がなされる（ステップＳ０３）。このとき、移動端末装置Ｕは、他ユーザの移動端末装置Ｕとの間で復調用リファレンス信号が直交される。次に、ＩＦＦＴ部１７やＣＰ付加部１８において、各種処理がなされて、無線基地局装置ｅＮＢに向けて送信される（ステップＳ０４）。
【００９３】
以上のように、本実施の形態に係る移動端末装置ＵによればＺＣ系列を用いて復調用リファレンス信号を生成し、復調用リファレンス信号を複数のアンテナポート毎にサイクリックシフトさせ、サイクリックシフトされた複数の上りリファレンス信号を、対応する複数のアンテナポートを介して無線基地局装置ｅＮＢに上りリンクで送信する構成を有している。したがって、複数のアンテナポート毎にサイクリックシフトさせることにより、複数のアンテナポート間で復調用リファレンス信号を直交化させて無線基地局装置ｅＮＢに多重伝送することが可能となる。
【００９４】
なお、上記した実施の形態においては、サイクリックシフトにより移動端末装置のアンテナポート間で復調用リファレンス信号を直交化させ、さらに、ディストリビューテッドＦＤＭＡやブロックスプレッディングにより複数のユーザ間で復調用リファレンス信号を直交化させる構成としたが、この構成に限定されるものではない。ユーザ間での復調用リファレンス信号の直交が不要であれば、ディストリビューテッドＦＤＭＡやブロックスプレッディングを行わない構成としてもよい。
【００９５】
また、上記した実施の形態においては、ディストリビューテッドＦＤＭＡまたはブロックスプレッディングにより複数のユーザ間で復調用リファレンス信号を直交化させる構成としたが、この構成に限定されるものではない。ディストリビューテッドＦＤＭＡおよびブロックスプレッディングを組み合わせて複数のユーザ間で復調用リファレンス信号を直交化させる構成としてもよい。
【００９６】
また、上記した実施の形態において、無線基地局装置から移動端末装置に通知されるサイクリックシフト用の制御ビットは、移動端末装置に対してどのような構成で通知されてもよい。例えば、制御ビットは、ＰＤＣＣＨ（Physical  Downlink  Control  Channel）等の制御チャネル、ＰＢＣＨ（Physical  Broadcast  Channel）等の報知チャネル、ＰＤＳＣＨ（Physical  Downlink  Shared  Channel）等のデータ共有チャネル、または上位レイヤで通知される構成としてもよい。
【００９７】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００９８】
以上説明したように、本発明は、ＭＩＭＯ伝送において複数のアンテナ間の上りリファレンス信号の直交を実現することができるという効果を有し、特に上りリンクで復調用リファレンス信号を送信する移動端末装置、無線基地局装置および通信制御方法に有用である。
【符号の説明】
【００９９】
Ｕ  移動端末装置
ｅＮＢ  無線基地局装置
１１  復調用リファレンス信号生成部（上りリファレンス信号生成部）
１３  サイクリックシフト部
１４  上りデータ信号生成部
１５  ＤＦＴ部
１６  多重部（割当部、拡散部）
１７  ＩＦＦＴ部（送信部）
１８  ＣＰ付加部（送信部）
２１  ＣＰ除去部
２２  ＦＦＴ部
２３  分離部
２４  チャネル推定部
２５  復調部
２６  復号部
３１  サイクリックシフト情報生成部
３２  割当情報生成部
３３  拡散コード生成部
３４  送信部
【図１】
2011160396.tif 000003
【図２】
2011160396.tif 000004
【図３】
2011160396.tif 000005
【図４】
2011160396.tif 000006
【図５】
2011160396.tif 000007
【図６】
2011160396.tif 000008
【図７】
2011160396.tif 000009
【図８】
2011160396.tif 000010
【図９】
2011160396.tif 000011
【図１０】
2011160396.tif 000012
【図１１】
2011160396.tif 000013
【図１２】
2011160396.tif 000014
【図１３】
2011160396.tif 000015